【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
警備対象を構成する複数の警備区域毎に警備モードを設定可能な警備装置と通信し、前記警備対象の利用者による前記警備モードの変更履歴を表示可能な携帯端末であって、
前記警備装置は、前記携帯端末から切替要求信号を受信したとき、前記警備モードを切替え、その切替結果を示すモード切替信号を前記携帯端末に送信し、
当該携帯端末は、
ユーザから前記警備モードの切替操作を受け付ける操作画面と、前記警備区域毎の前記警備モードの切替に関する切替メッセージを少なくとも含む複数の区域メッセージを時系列で表示する、前記各警備区域に対応したチャット画面と、前記複数の警備区域に対応する複数の表示欄をリスト表示し、且つ、前記各表示欄には当該各表示欄に対応する警備区域の現在の警備モードを示す情報を表示するリスト画面と、を切替可能に表示する表示制御手段と、
前記操作画面に対する前記ユーザの切替操作を受け付けると前記警備モードの前記切替要求信号を前記警備装置へ送信する通信手段と、を具備し、
前記表示制御手段は、前記切替操作に応じて前記操作画面から当該切替操作された前記警備区域に対応した前記チャット画面に表示画面を切替え、前記警備装置から受信した前記モード切替信号に応じたモード切替メッセージを最新メッセージとして追加表示する
携帯端末。
【請求項２】
請求項１に記載の携帯端末であって、
前記表示制御手段は、前記切替操作又は前記切替結果により特定される警備モードの切替処理が所定条件を満たすか否かを判定し、当該所定条件を満たす場合、前記操作画面から前記チャット画面を介さずに前記リスト画面に表示画面を切替える、又は、前記操作画面から前記チャット画面を介して前記リスト画面に表示画面を切替える例外表示制御を実行する
携帯端末。
【請求項３】
請求項２に記載の携帯端末であって、
前記警備モードは、少なくとも、前記警備区域の侵入異常を監視する警戒モードを含み、
前記表示制御手段は、前記切替操作又は前記切替結果が前記警戒モードへの切替処理である場合に前記例外表示制御を実行する
携帯端末。
【請求項４】
請求項２又は３に記載の携帯端末であって、
前記警備モードは、少なくとも、前記警備区域の侵入異常を監視する警戒モードを含み、
前記警備区域は、前記警備対象の出入口を含む共用区域と、当該共用区域以外の個別区域とを含み、
前記表示制御手段は、前記モード切替信号が示す切替結果が前記警戒モードであり、且つ、当該切替により全ての前記個別区域の警備モードが前記警戒モードに切り替わった場合に前記例外表示制御を実行する
携帯端末。
【請求項５】
請求項４に記載の携帯端末であって、
前記表示制御手段は、前記全ての前記個別区域の警備モードが前記警戒モードに切替わった場合、前記リスト画面の各表示欄のうち、前記共用区域に対応する表示欄を強調表示する
携帯端末。
【請求項６】
請求項４または５に記載の携帯端末であって、
当該携帯端末の位置情報を取得する位置情報取得手段を更に具備し、
前記表示制御手段は、前記切替操作が前記警戒モードへの切替操作であり、且つ、当該切替により全ての前記個別区域の警備モードが前記警戒モードに切替わることになる場合であって、前記取得した位置情報が前記警備対象の位置情報の近傍でない場合、前記操作画面または当該操作画面から切替わった前記リスト画面を前記チャット画面に切替え、当該チャット画面に、前記警備対象内に移動するよう前記ユーザに促すメッセージを追加表示する
携帯端末。
【請求項７】
警備対象を構成する複数の警備区域毎に警備モードを設定可能な警備装置と、
前記警備装置と通信し前記警備対象の利用者による前記警備モードの変更履歴を表示可能な携帯端末と
を具備する警備システムであって、
前記警備装置は、前記携帯端末から切替要求信号を受信したとき、前記警備モードを切替え、その切替結果を示すモード切替信号を前記携帯端末に送信し、
前記携帯端末は、
ユーザから前記警備モードの切替操作を受け付ける操作画面と、前記警備区域毎の前記警備モードの切替に関する切替メッセージを少なくとも含む複数の区域メッセージを時系列で表示する、前記各警備区域に対応したチャット画面と、前記複数の警備区域に対応する複数の表示欄のリストを表示し、且つ、前記各表示欄には、当該各表示欄に対応する警備区域の現在の警備モードを示す情報を表示するリスト画面と、を切替可能に表示する表示制御手段と、
前記操作画面に対する前記ユーザの切替操作を受け付けると前記警備モードの前記切替要求信号を前記警備装置へ送信する通信手段と、を有し、
前記表示制御手段は、前記切替操作に応じて前記操作画面から前記チャット画面に表示画面を切替え、当該チャット画面に、前記警備装置から受信した前記モード切替信号に応じたモード切替メッセージを最新メッセージとして追加表示する
警備システム。
【請求項８】
警備対象を構成する複数の警備区域毎に警備モードを設定可能な警備装置と通信し、前記警備対象の利用者による前記警備モードの変更履歴を表示可能な携帯端末に実行させるプログラムであって、
前記警備装置は、前記携帯端末から切替要求信号を受信したとき、前記警備モードを切替え、その切替結果を示すモード切替信号を前記携帯端末に送信するものであり、
前記携帯端末に、
ユーザから前記警備モードの切替操作を受け付ける操作画面と、前記警備区域毎の前記警備モードの切替に関する切替メッセージを少なくとも含む複数の区域メッセージを時系列で表示する、前記各警備区域に対応したチャット画面と、前記複数の警備区域に対応する複数の表示欄のリストを表示し、且つ、前記各表示欄には、当該各表示欄に対応する警備区域の現在の警備モードを示す情報を表示するリスト画面と、を切替可能に表示するステップと、
前記操作画面に対する前記ユーザの切替操作を受け付けると前記警備モードの前記切替要求信号を前記警備装置へ送信するステップと、
前記切替操作に応じて前記操作画面から前記チャット画面に表示画面を切替え、当該チャット画面に、前記警備装置から受信した前記モード切替信号に応じたモード切替メッセージを最新メッセージとして追加表示するステップと
を実行させるプログラム。
【請求項９】
警備対象を構成する複数の警備区域毎に警備モードを設定可能な警備装置と通信し、前記警備対象の利用者による前記警備モードの変更履歴を表示可能な携帯端末による表示方法であって、
前記警備装置は、前記携帯端末から切替要求信号を受信したとき、前記警備モードを切替え、その切替結果を示すモード切替信号を前記携帯端末に送信するものであり、
前記携帯端末により、
ユーザから前記警備モードの切替操作を受け付ける操作画面と、前記警備区域毎の前記警備モードの切替に関する切替メッセージを少なくとも含む複数の区域メッセージを時系列で表示する、前記各警備区域に対応したチャット画面と、前記複数の警備区域に対応する複数の表示欄のリストを表示し、且つ、前記各表示欄には、当該各表示欄に対応する警備区域の現在の警備モードを示す情報を表示するリスト画面と、を切替可能に表示し、
前記操作画面に対する前記ユーザの切替操作を受け付けると前記警備モードの前記切替要求信号を前記警備装置へ送信し、
前記切替操作に応じて前記操作画面から前記チャット画面に表示画面を切替え、当該チャット画面に、前記警備装置から受信した前記モード切替信号に応じたモード切替メッセージを最新メッセージとして追加表示する
表示方法。
【手続補正２】
【補正対象書類名】明細書
【補正対象項目名】０００６
【補正方法】変更
【補正の内容】
【０００６】
上記目的を達成するため、本発明の一形態に係る携帯端末は、警備対象を構成する複数の警備区域毎に警備モードを設定可能な警備装置と通信し、上記警備対象の利用者による上記警備モードの変更履歴を表示可能な携帯端末であって、表示制御手段と通信手段を有する。上記警備装置は、上記携帯端末から切替要求信号を受信したとき、上記警備モードを切替え、その切替結果を示すモード切替信号を上記携帯端末に送信する。上記表示制御手段は、ユーザから上記警備モードの切替操作を受け付ける操作画面と、上記警備区域毎の上記切替操作に基づいて切替えられる警備モードの切替メッセージを少なくとも含む複数の区域メッセージを時系列で表示する、前記各警備区域に対応したチャット画面と、上記警備区域に対応する表示欄のリストを表示し、且つ、上記各表示欄に、当該各表示欄に対応する各警備区域の現在の警備モードを示す情報を表示するリスト画面と、を切替可能に表示する。上記通信手段は、上記操作画面に対する上記ユーザの切替操作に応じて、上記警備モードの上記切替要求信号を上記警備装置へ送信する。さらに上記表示制御手段は、上記切替操作に応じて上記操作画面を上記チャット画面に切替え、当該チャット画面に、上記警備装置から受信した上記モード切替信号に応じたモード切替メッセージを最新メッセージとして追加表示する。
【手続補正３】
【補正対象書類名】明細書
【補正対象項目名】００１８
【補正方法】変更
【補正の内容】
【００１８】
本発明の他の形態に係る警備システムは、警備対象を構成する複数の警備区域毎に警備モードを設定可能な警備装置と、上記警備装置と通信し上記警備対象の利用者による上記警備モードの変更履歴を表示可能な携帯端末とを有する。上記警備装置は、上記携帯端末から切替要求信号を受信したとき、上記警備モードを切替え、その切替結果を示すモード切替信号を上記携帯端末に送信する。上記携帯端末は、表示制御手段と通信手段を有する。上記表示制御手段は、ユーザから上記警備モードの切替操作を受け付ける操作画面と、上記警備区域毎の上記切替操作に基づいて切替えられる警備モードの切替メッセージを少なくとも含む複数の区域メッセージを時系列で表示する、前記各警備区域に対応したチャット画面と、上記警備区域に対応する表示欄のリストを表示し、且つ、上記各表示欄に、当該各表示欄に対応する各警備区域の現在の警備モードを示す情報を表示するリスト画面と、を切替可能に表示する。上記通信手段は、上記操作画面に対する上記ユーザの切替操作に応じて、上記警備モードの上記切替要求信号を上記警備装置へ送信する。さらに上記表示制御手段は、上記切替操作に応じて上記操作画面を上記チャット画面に切替え、当該チャット画面に、上記警備装置から受信した上記モード切替信号に応じたモード切替メッセージを最新メッセージとして追加表示する。
【手続補正４】
【補正対象書類名】明細書
【補正対象項目名】００１９
【補正方法】変更
【補正の内容】
【００１９】
本発明の他の形態に係るプログラムは、警備対象を構成する複数の警備区域毎に警備モードを設定可能な警備装置と通信し、上記警備対象の利用者による上記警備モードの変更履歴を表示可能な携帯端末に実行させるプログラムである。上記警備装置は、上記携帯端末から切替要求信号を受信したとき、上記警備モードを切替え、その切替結果を示すモード切替信号を上記携帯端末に送信するものである。上記プログラムは、上記携帯端末に、
ユーザから上記警備モードの切替操作を受け付ける操作画面と、上記警備区域毎の上記切替操作に基づいて切替えられる警備モードの切替メッセージを少なくとも含む複数の区域メッセージを時系列で表示する、前記各警備区域に対応したチャット画面と、上記警備区域に対応する表示欄のリストを表示し、且つ、上記各表示欄に、当該各表示欄に対応する各警備区域の現在の警備モードを示す情報を表示するリスト画面と、を切替可能に表示するステップと、
上記操作画面に対する上記ユーザの切替操作に応じて、上記警備モードの上記切替要求信号を上記警備装置へ送信するステップと、
上記切替操作に応じて上記操作画面を上記チャット画面に切替え、当該チャット画面に、上記警備装置から受信した上記モード切替信号に応じたモード切替メッセージを最新メッセージとして追加表示するステップと、を実行させる。
【手続補正５】
【補正対象書類名】明細書
【補正対象項目名】００２０
【補正方法】変更
【補正の内容】
【００２０】
本発明の他の形態に係る表示方法は、警備対象を構成する複数の警備区域毎に警備モードを設定可能な警備装置と通信し、上記警備対象の利用者による上記警備モードの変更履歴を表示可能な携帯端末による表示方法である。上記警備装置は、上記携帯端末から切替要求信号を受信したとき、上記警備モードを切替え、その切替結果を示すモード切替信号を上記携帯端末に送信するものである。上記表示方法は、上記携帯端末により、
ユーザから上記警備モードの切替操作を受け付ける操作画面と、上記警備区域毎の上記切替操作に基づいて切替えられる警備モードの切替メッセージを少なくとも含む複数の区域メッセージを時系列で表示する、前記各警備区域に対応したチャット画面と、上記警備区域に対応する表示欄のリストを表示し、且つ、上記各表示欄に、当該各表示欄に対応する各警備区域の現在の警備モードを示す情報を表示するリスト画面と、を切替可能に表示し、
上記操作画面に対する上記ユーザの切替操作に応じて、上記警備モードの上記切替要求信号を上記警備装置へ送信し、
上記切替操作に応じて上記操作画面を上記チャット画面に切替え、当該チャット画面に、上記警備装置から受信した上記モード切替信号に応じたモード切替メッセージを最新メッセージとして追加表示する、ことを含む。
【手続補正６】
【補正対象書類名】明細書
【補正対象項目名】００７３
【補正方法】変更
【補正の内容】
【００７３】
図６及び図７に示すように、チャット画面８０上には、切替メッセージとして、ユーザによるモード切替操作を示す区域メッセージ（モード操作メッセージ８３）と、当該モード切替操作に応じた警備装置１００によるモード切替結果を示す区域メッセージ（モード切替メッセージ８４）とが、異なる領域に区別されて（例えば前者が右側、後者が左側）、対話形式で時系列に表示される。